(57)【要約】【課題】電磁波を効果的に吸収する機能を備えた画像読取装置を提供する。【解決手段】スキャナ台板１の上に電磁波吸収シート１２が設けられ、その上に、ＣＣＤ基板４と、ＣＣＤユニット２と、ＣＣＤレンズ３とが設けられている。ＣＣＤ基板４、ＣＣＤユニット２、およびＣＣＤレンズ３を囲む板金（筐体）１０がスキャナ台板１に取付けられている。板金１０は、半球型（ドーム型）のものが使用されている。ＣＣＤ基板４から放射状に発する電磁波ノイズは、板金１０で反射した後、電磁波吸収シート１２に吸収される。板金１０は、その曲面で反射した電磁波が電磁波吸収シート１２の一点（Ａ点）に集まるように、その曲率が調整されている。これによりＣＣＤレンズ３の周辺に電磁波ノイズを集約することができ、電磁波吸収シート１２から発生する熱を利用して、ＣＣＤレンズ３の結露が防止される。【選択図】図１
2009124482.tif 000002
【特許請求の範囲】
【請求項１】
画像読取りのための制御基板と、
画像読取りのためのレンズと、
前記制御基板の位置と前記レンズの位置とに跨って配置される、前記制御基板からの電磁波を吸収するための電磁波吸収シートとを備えた、画像読取装置。
【請求項２】
前記電磁波吸収シートは、前記制御基板と前記レンズとの下部に配置される、請求項１に記載の画像読取装置。
【請求項３】
前記制御基板、前記レンズ、および前記電磁波吸収シートは、筐体内の同一の空間に配置される、請求項１または２に記載の画像読取装置。
【請求項４】
前記筐体の内面は、前記制御基板から発生する電磁波を、前記電磁波吸収シートの前記レンズの近傍の部分に向かわせる形状を有する、請求項３に記載の画像読取装置。
【請求項５】
前記筐体の形状は、ドーム形状、ドーム近似形状、およびトンネル形状のいずれかである、請求項３または４に記載の画像読取装置。
【請求項６】
画像読取りのための制御基板と、
画像読取りのためのレンズと、
少なくとも前記レンズの位置の近傍に配置される、前記制御基板からの電磁波を吸収するための電磁波吸収体と、
前記制御基板、前記レンズ、および前記電磁波吸収体を囲む筐体とを備え、
前記筐体は、その内部の電磁波を、前記レンズの位置の近傍に配置される前記電磁波吸収体に向けて反射させる構造を有する、画像読取装置。
【発明の詳細な説明】
【技術分野】
【０００１】
この発明は画像読取装置に関し、特に電磁波を吸収する機能を有する画像読取装置に関する。
【背景技術】
【０００２】
画像形成装置（ＭＦＰ（Ｍｕｌｔｉ  Ｆｕｎｃｔｉｏｎ  Ｐｅｒｉｐｈｅｒａｌ）、ファクシミリ装置、複写機、複合機など）には、原稿を読み取るためのスキャナ部が設けられている。スキャナ部は、ＣＣＤを含む画像読取装置を備えている。
【０００３】
読み取られた原稿情報は、ＣＣＤレンズを伴うＣＣＤユニットを通過し、ＣＣＤ基板にて画像データに変換される。特に寒冷環境でマシンを使用した場合、急激な周辺環境温度の変化でＣＣＤレンズの表面に結露が発生してしまう課題があった。そこで、結露を防止するために、専用の防湿ヒータを設けるなどの措置を施していた。
【０００４】
また、ＣＣＤ基板からは不要輻射ノイズが発生しており、加えてＣＣＤ基板およびＣＣＤレンズユニットを覆う板金には、一般的に直方体の板金が用いられる。そのため、ＥＭＩ（Ｅｌｅｃｔｒｏ  ｍａｇｎｅｔｉｃ  ｉｎｔｅｒｆｅｒｅｎｃｅ）の観点でいうと、板金内でノイズが多重反射し、増幅により板金隙間からノイズが漏洩していた。
【０００５】
その対策としては、基板内にノイズフィルタを設けたり、ビス、板バネ、その他シールド部材を用いてシールド効果を高める等の措置を施しているが、漏洩する不要輻射ノイズに関しては苦慮している。
【０００６】
図１０は、ＣＣＤ基板、ＣＣＤレンズ、およびＣＣＤユニットを覆う板金の構造について示した図である。
【０００７】
図を参照して、スキャナ台板１の上にＣＣＤ基板４と、ＣＣＤユニット２と、ＣＣＤレンズ３と、直方体板金５とが取付けられている。
【０００８】
ＣＣＤユニットを覆う板金５は、直方体のものが使用されており、ビーム受光のための板金穴６を有した構造となっている。板金５は、図のように上からかぶせる構造となっており、固定用に数点ビスが使用される。
【０００９】
図１１は、ＣＣＤ基板から発する不要輻射ノイズが板金内で伝播する様子について示した図である。
【００１０】
直方体の板金５内では、ノイズが多重反射し、増幅されている。さらに増幅されたノイズは、板金隙間（ビス間）から漏洩している。
【００１１】
下記特許文献１は、電子部品から発生する熱と電磁波ノイズを、熱および電磁ノイズ兼用の対策部品で放熱し、かつ電磁波を吸収する電子機器を開示している。
【００１２】
特許文献２は、使用状況に応じて専用の防湿ヒータをＯＮさせることで、画像読取装置の結露防止を行なう技術を開示する。
【００１３】
特許文献３は、高周波ノイズを吸収するために、基板上にＬ（インダクタンス）成分と、Ｃ（キャパシタンス）成分とを持たせる基板構造を開示する。
【特許文献１】特開２００１−３２６４９２号公報
【特許文献２】特開２００２−１７６５１８号公報
【特許文献３】特開平６−５３０４６号公報
【発明の開示】
【発明が解決しようとする課題】
【００１４】
結露防止のために用いられる防湿ヒータは、ユーザの希望によりオプションとして後付けされることが多い。この場合、ヒータ設置による部品点数の増加や、作業性の問題がある。
【００１５】
また、ＣＣＤ周りではＥＭＩの観点からも、安易に部品を追加することは難しく、ＥＭＩ対策部品（ビス、板バネ）によるコストアップが現状の課題として挙げられる。
【００１６】
また、ヒータを設置すると、ヒータ稼動用の電力が別途必要となり、省エネ対策としても問題である。
【００１７】
このように従来の方法では、省エネを満足したＣＣＤレンズの防湿と、ＣＣＤ基板およびＣＣＤレンズユニットを覆う板金内のノイズ対策とを両立させることができなかった。
【００１８】
この発明はそのような問題点を解決するためになされたものであり、電磁波を効果的に吸収する機能を備えた画像読取装置を提供することを目的としている。
【課題を解決するための手段】
【００１９】
上記目的を達成するためこの発明のある局面に従うと、画像読取装置は、画像読取りのための制御基板と、画像読取りのためのレンズと、制御基板の位置とレンズの位置とに跨って配置される、制御基板からの電磁波を吸収するための電磁波吸収シートとを備える。
【００２０】
好ましくは電磁波吸収シートは、制御基板とレンズとの下部に配置される。
【００２１】
好ましくは制御基板、レンズ、および電磁波吸収シートは、筐体内の同一の空間に配置される。
【００２２】
好ましくは筐体の内面は、制御基板から発生する電磁波を、電磁波吸収シートのレンズの近傍の部分に向かわせる形状を有する。
【００２３】
好ましくは筐体の形状は、ドーム形状、ドーム近似形状、およびトンネル形状のいずれかである。
【００２４】
この発明の他の局面に従うと、画像読取装置は、画像読取りのための制御基板と、画像読取りのためのレンズと、少なくともレンズの位置の近傍に配置される、制御基板からの電磁波を吸収するための電磁波吸収体と、制御基板、レンズ、および電磁波吸収体を囲む筐体とを備え、筐体は、その内部の電磁波を、レンズの位置の近傍に配置される電磁波吸収体に向けて反射させる構造を有する。
【発明の効果】
【００２５】
これらの発明に従うと、電磁波を効果的に吸収する機能を備えた画像読取装置を提供することが可能となる。
【発明を実施するための最良の形態】
【００２６】
以下、図面を用いて本発明の実施の形態について説明する。
【００２７】
［第１の実施の形態］
【００２８】
図１は、本発明の第１の実施の形態における画像読取装置の斜視図であり、図２は、画像読取装置を板金穴１１側から見た構成を説明するための図である。
【００２９】
図を参照して、スキャナ台板１の上に電磁波吸収シート１２が設けられ、その上に、ＣＣＤ基板（画像読取制御基板）４と、ＣＣＤユニット２と、ＣＣＤレンズ３とが設けられている。また、ＣＣＤ基板４、ＣＣＤユニット２、およびＣＣＤレンズ３を囲む板金（筐体）１０がスキャナ台板１に取付けられている（なお、図では構成を分かりやすくするため、板金１０を透明で表わしている）。
【００３０】
ＣＣＤユニットを覆う板金１０は、半球型（ドーム型）のものが使用されており、ビーム受光のための板金穴１１を有した構造となっている。板金１０は、図のように上からかぶせる構造となっており、固定用に数点ビスが使用される。
【００３１】
図３は、板金１０内の電磁波ノイズの伝播を説明するための図である。
【００３２】
図中の太い矢印は、電磁波ノイズの発生源から電磁波ノイズが進む方向を示している。この電磁波ノイズは、電磁波吸収シート１２に直接吸収されるものであり、直接波と呼ぶ。ＣＣＤ基板４やＣＣＤレンズ３の下部に電磁波吸収シート１２を配置することで、ＣＣＤ基板４からの直接波が電磁波吸収シート１２に吸収される。
【００３３】
また図中の細い矢印は、ＣＣＤ基板４から放射状に発する電磁波ノイズの進む方向を示している。この電磁波ノイズは、板金１０で反射した後、電磁波吸収シート１２に吸収されるものであり、反射波と呼ぶ。
【００３４】
板金１０は、その曲面で反射した電磁波が電磁波吸収シート１２の一点（Ａ点）に集まるように、その曲率が調整されている。これによりＡ点周辺に電磁波ノイズを集約することができ、配置した電磁波吸収シートで効率よくノイズを吸収することができる。
【００３５】
また、Ａ点は、ＣＣＤレンズ３の真下に設定されている。Ａ点の直上にＣＣＤレンズ３を配置することで、電磁波吸収シート１２でノイズを吸収した際に発生する上昇熱がＣＣＤレンズ３に照射される。
【００３６】
図４は、ノイズを吸収し始めて一定時間後の電磁波吸収シートの温度分布を示す図である。
【００３７】
ドーム型板金により、ノイズをＡ点周辺に集約させることで、その付近の温度が高くなっている様子が示されている。これにより、より高い熱量をＣＣＤレンズ３へ照射することができる。
【００３８】
このように本実施の形態では、ＣＣＤ基板４から発生する電磁波ノイズを電磁波吸収シート１２を用いて吸収させる。電磁波ノイズ吸収の際に電磁波吸収シート１２から発生する熱を利用して、ＣＣＤレンズ３の結露を防止する。結露を防止するために、電磁波吸収シート１２の配置位置と大きさは調整される。
【００３９】
また、ＣＣＤ基板４から発生する電磁波ノイズを、配置した電磁波吸収シート１２に効率良く吸収させるために、ＣＣＤ基板４およびＣＣＤレンズユニット２を覆う板金をドーム型としている。ＣＣＤ基板４から放射状に発する電磁波ノイズは、ある一点の周辺に集約させられる。集約によって、その点における電磁波吸収シート１２の熱量を高めることができ、ＣＣＤレンズ３の結露をいち早く解決することができる。
【００４０】
すなわち本実施の形態によると、ＣＣＤ基板４およびＣＣＤレンズ３に跨るように、ＣＣＤユニット２の下部に電磁波吸収シートを配置し、放射される電磁波をＣＣＤレンズ３の位置付近に集中させて吸収させることで、ＣＣＤレンズ３の防湿とノイズ対策とを両立させることができる。
【００４１】
また、電磁波吸収シート１２を配置することで、ＣＣＤ基板４から発生する不要輻射ノイズが板金１０内で多重反射して増幅することを抑制できる。また、電磁波吸収シート１２の配置位置を、ＣＣＤ基板４およびＣＣＤレンズ３に跨るようにすることで、ノイズ吸収を効率的に行なうことが出来る。
【００４２】
また、別途ヒータなどを設ける必要がなくなるため、省エネを満足させることができる。
【００４３】
［第２の実施の形態］
【００４４】
図５は、本発明の第２の実施の形態における画像読取装置の斜視図であり、図６は、画像読取装置を板金穴２１側から見た構成を説明するための図である。
【００４５】
この実施の形態では、板金２０として半球（ドーム）を近似させた形状のものが用いられる。すなわち、曲面（図６の点線）ではなく平面（図６の実線）の集合により板金２０は形成される。板金１０は、その複数の平面で反射した電磁波が電磁波吸収シート１２の一点（Ａ点）に集まるように、平面の角度が調整されている。
【００４６】
図７は、ノイズを吸収し始めて一定時間後の電磁波吸収シートの温度分布を示す図である。
【００４７】
半球近似型板金により、ノイズをＡ点周辺に集約させることで、その付近の温度が高くなっている様子が示されている。これにより、第１の実施の形態と同様に、より高い熱量をＣＣＤレンズ３へ照射することができる。
【００４８】
［第３の実施の形態］
【００４９】
図８は、本発明の第３の実施の形態における画像読取装置の斜視図である。
【００５０】
この実施の形態では、板金３０としてトンネル形状のものが用いられる。すなわち、板金３０はＣＣＤユニット２を覆う半円筒形状の部分と、その両端部に位置する曲面部分とから形成される。ビーム受光のための板金穴３１は、当該曲面部分に形成される。板金１０は、板金内で反射した電磁波が、ＣＣＤレンズ３の光軸方向に伸びる電磁波吸収シート１２の一点（Ａ点）を通るライン上に集まるように、内壁部分が調整されている。
【００５１】
図９は、ノイズを吸収し始めて一定時間後の電磁波吸収シートの温度分布を示す図である。
【００５２】
トンネル型板金により、ノイズをＡ点を通るライン周辺に集約させることで、その付近の温度が高くなっている様子が示されている。これにより、第１および第２の実施の形態と同様に、より高い熱量をＣＣＤレンズ３へ照射することができる。
【００５３】
［実施の形態における効果］
【００５４】
以上のように、本実施の形態における画像読取装置（およびそれを用いた画像形成装置）では、電磁波吸収シートでノイズを吸収する際に発生する熱を利用して、ＣＣＤレンズの結露を防止するため、専用の防湿ヒータが不要である。これにより、部品点数削減によるコストダウンを図ることができる。
【００５５】
また、電磁波吸収シートの配置により電磁波ノイズ吸収と結露防止を両立させることができ、ＥＭＩ、省エネ対策としても効果的である。
【００５６】
すなわち、レンズの位置の近傍に配置される電磁波吸収シートに向けて電磁波を反射させる構造を有するドーム型板金（もしくはその近似形状の板金、またはトンネル状板金）を用いることで、多重反射による電磁波ノイズ増幅を防ぐことができるとともに、発生した電磁波ノイズをＣＣＤレンズ下部周辺の電磁波吸収シートに集約させ、その周辺の熱量を高めることができる。これにより、ＣＣＤレンズの結露をいち早く、且つ効率的に解決することができる。
【００５７】
［その他］
【００５８】
なお、ＣＣＤレンズに熱量を与えるための構造を作るのであれば、電磁波吸収シートは、少なくともＣＣＤレンズの近傍（好ましくはレンズの真下）に存在すればよく、また、ＣＣＤ基板からの直接波を吸収する構造を作るのであれば、電磁波吸収シートは、少なくともＣＣＤ基板の近傍（好ましくはＣＣＤ基板の真下）に存在すればよい。また、両者の構造を合わせて、ＣＣＤレンズの近傍およびＣＣＤ基板の近傍のそれぞれに、１つずつの電磁波吸収体を備える構成としてもよい。
【００５９】
本発明はＭＦＰ、ファクシミリ装置、複写機などの画像形成装置に対して実施することができる。
【００６０】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の第１の実施の形態における画像読取装置の斜視図である。
【図２】画像読取装置を板金穴１１側から見た構成を説明するための図である。
【図３】板金１０内の電磁波ノイズの伝播を説明するための図である。
【図４】ノイズを吸収し始めて一定時間後の電磁波吸収シートの温度分布を示す図である。
【図５】本発明の第２の実施の形態における画像読取装置の斜視図である。
【図６】画像読取装置を板金穴２１側から見た構成を説明するための図である。
【図７】ノイズを吸収し始めて一定時間後の電磁波吸収シートの温度分布を示す図である。
【図８】本発明の第３の実施の形態における画像読取装置の斜視図である。
【図９】ノイズを吸収し始めて一定時間後の電磁波吸収シートの温度分布を示す図である。
【図１０】ＣＣＤ基板、ＣＣＤレンズ、およびＣＣＤユニットを覆う板金の構造について示した図である。
【図１１】ＣＣＤ基板から発する不要輻射ノイズが板金内で伝播する様子について示した図である。
【符号の説明】
【００６２】
１  スキャナ台板
２  ＣＣＤユニット
３  ＣＣＤレンズ
４  ＣＣＤ基板
５  直方体板金
６  板金穴
１０  半球型板金
１１  板金穴
１２  電磁波吸収シート
２０  半球近似型板金
２１  板金穴
３０  トンネル型板金
３１  板金穴
【図１】
2009124482.tif 000003
【図２】
2009124482.tif 000004
【図３】
2009124482.tif 000005
【図４】
2009124482.tif 000006
【図５】
2009124482.tif 000007
【図６】
2009124482.tif 000008
【図７】
2009124482.tif 000009
【図８】
2009124482.tif 000010
【図９】
2009124482.tif 000011
【図１０】
2009124482.tif 000012
【図１１】
2009124482.tif 000013